(57)【特許請求の範囲】
【請求項１】
シャッターカーテンによって閉鎖された建物開口部を床面から少なくとも所定高さに亘って覆うように設置することで防水構造を構成する防水シートを得るためのシート体であって、
前記防水シートは、
主面部と、
前記主面部の一側に位置する第１側方部位と、
前記主面部の他側に位置する第２側方部位と、
を備え、
前記第１側方部位、前記第２側方部位は、それぞれガイド溝に押し込まれる部分を含んでおり、
前記第１側方部位の部分が、第１側方押し込み要素を用いて当該第１側方押し込み要素と共にガイド溝に押し込まれ、
前記第２側方部位の部分が、第２側方押し込み要素を用いて当該第２側方押し込み要素と共にガイド溝に押し込まれ、
前記防水シートには、当該防水シートの設置手順に関する情報が表示されており、
前記シート体は、前記防水シートの縦幅と同じ縦幅を備え、想定される開口幅寸法よりも大きい横幅を備えており、
前記シート体には、第１側に位置して、第１側方押し込み要素が固定されており、
前記シート体には、第１側から所定長離間した部位に、前記設置手順に関する情報として、第２側方押し込み要素の押し込み手順に関する情報が表示され、
前記シート体は、第２側方押し込み要素の前記押し込み手順に関する情報から第２側に亘って、切断位置の参照となる線が所定間隔毎に表示されている切断対象領域を備え、
開口幅寸法に対応する所定長さに裁断することで前記防水シートを得るように構成されている、
防水シート用シート体。
【請求項２】
前記切断対象領域には、第２側方押し込み要素の前記押し込み手順に関する情報から第２側に離間して、前記設置手順に関する情報として、第２側方押し込み要素の追加の押し込み手順に関する情報が表示されている、
請求項１に記載のシート体。
【請求項３】
前記シート体には、第１側から所定長離間した前記部位から第２側に亘って、前記押し込み手順に関する情報及び前記追加の押し込み手順に関する情報を含む第２側方押し込み要素の２つ以上の押し込み手順に関する情報が、所定幅ごとに繰り返し表示されている、
請求項２に記載のシート体。
【請求項４】
前記押し込み手順に関する情報は、第２側方押し込み要素の押し込み順序、押し込み方向の少なくとも１つと、第２側方押し込み要素の位置決め参照マークと、を含む位置決め参照マークセットである、
請求項１〜３いずれか１項に記載のシート体。
【請求項５】
前記防水シートは、前記主面部の下側に位置する下方部位を備え、
前記下方部位は、シャッターカーテン下端と床面との間に押し込まれる部分を含んでおり、
前記下方部位の部分が、下方押し込み要素を用いて当該下方押し込み要素と共にシャッターカーテン下端と床面との間に押し込まれることで設置され、
前記設置手順に関する情報には、前記第１側方押し込み要素の押し込み手順に関する情報、及び、前記下方押し込み要素の押し込み手順に関する情報を含む、
請求項１〜４いずれか１項に記載のシート体。
【請求項６】
前記シート体において、前記防水シートの前記主面部の下側に位置する下方部位に対応する領域には、下方押し込み要素の押し込み手順に関する情報が表示されている、
請求項５に記載のシート体。
【請求項７】
前記シート体の前記切断対象領域の下方部位には、下方押し込み要素の押し込み手順に関する情報が表示されている、
請求項６に記載のシート体。
【請求項８】
前記設置手順に関する情報には、第１側方押し込み要素を用いた第１側方部位の部分の押し込み状態、第２側方押し込み要素を用いた第２側方部位の部分の押し込み状態、下方押し込み要素を用いた下方部位の部分の押し込み状態の少なくとも１つの押し込み状態を示す図が含まれ、
前記少なくとも１つの押し込み状態を示す図は、前記シート体の前記切断対象領域以外の領域に表示されている、
請求項５〜７いずれか１項に記載のシート体。
【請求項９】
前記防水シートの設置には、ガイド溝に挿入された第１側方押し込み要素、第２側方押し込み要素を下方に押し込むことが含まれ、
前記設置手順に関する情報には、前記第１側方押し込み要素、前記第２側方押し込み要素の下方への押し込み順序が含まれている、
請求項１〜８に記載のシート体。
【発明の詳細な説明】
【技術分野】
【０００１】
本発明は防水シートに係り、詳しくは、全閉状態にある建物開口部に取り付けることで防水構造を形成する防水シートに関するものである。
【背景技術】
【０００２】
シャッター装置は建物開口部を開閉する装置であり、全閉状態のシャッターカーテンの幅方向側部は建物開口部左右に立設したガイドレールのガイド溝に受け入れられており、シャッターカーテン下端の座板は床面に接触している。しかしながら、一般のシャッター装置は十分な防水機能を備えてはおらず、豪雨時等の異常時には、シャッターカーテン幅方向端部とガイドレールとの間、シャッターカーテン下端の座板と床面との間、スラット同士を連結するインターロック部分、を通って、屋外側から屋内側へ浸水するおそれがある。
【０００３】
そこで、既設のシャッター装置に対して防水機能を付与することが検討され、このような防水装置は例えば特許文献１に記載されている。ここで、防水シートを既設のシャッター装置に取り付けて防水構造を形成するにあたり、緊急使用時には、迅速に防水シートを設置して防水構造を得ることが要求される。例えば、突然の豪雨時に、防水シートの設置に手間取っていると、屋内側への浸水を招いてしまうおそれもある。したがって、取付説明書などを参照することなく、迅速かつ容易に防水シートの取り付けが行えることが望ましい。
【特許文献１】特開２０１４−１３６８９７号公報
【発明の開示】
【発明が解決しようとする課題】
【０００４】
本発明は、全閉状態にある建物開口部に取り付けることで防水構造を形成する防水シートであって、当該防水シートの速やかな取り付けを考慮した防水シートを提供することを目的とするものである。
【課題を解決するための手段】
【０００５】
本発明が採用した技術手段は、
全閉状態の建物開口部を床面から少なくとも所定高さに亘って覆うように設置することで防水構造を構成する防水シートであって、
前記防水シートには、当該防水シートの設置手順に関する情報が表示されている、
防水シート、である。
１つの態様では、防水シートは、全閉状態の建物開口部の屋外側部位を覆うように設置される。
【０００６】
１つの態様では、前記防水シートは、複数の部位を順次取り付けることで設置され、前記設置手順に関する情報には、前記複数の部位の各部位の取付順序が含まれる。
この情報には、例えば、各部位あるいは各部位の付近に表示した順序を示す番号が含まれる。
１つの態様では、後述する実施形態に示すように、建物開口部全閉状態において、シャッターカーテン幅方向両側部がガイド溝に受け入れられ、前記シャッターカーテン下端が着床しており、
前記防水シートは、
主面部と、
前記主面部の一側に位置する第１側方部位と、
前記主面部の他側に位置する第２側方部位と、
前記主面部の下側に位置する下方部位と、からなり、
前記第１側方部位、前記第２側方部位は、それぞれガイド溝に押し込まれる部分を含んでおり、
前記下方領域は、シャッターカーテン下端と床面との間に押し込まれる部分を含んでおり、
前記情報には、前記第１側方部位、前記第２側方部位、前記下方部位の少なくとも１つの部位の押し込み手順に関する情報が含まれている。
１つの態様では、前記情報は、前記主面部、あるいは、前記主面部及び前記下方部位に表示されている。
１つの態様では、前記第１側方部位、前記第２側方部位の押し込み手順に関する情報は、前記主面部に表示されている。
１つの態様では、前記下方部位の押し込み手順に関する情報は、前記下方部位に表示されている。
１つの態様では、前記下方部位の押し込み手順に関する情報は、前記下方部位及び前記主面部に表示されている。
【０００７】
１つの態様では、前記防水シートは、複数の部位を取り付けることで設置され、前記設置手順に関する情報には、前記複数の部位の少なくとも１つの部位の取付位置および／あるいは取付方向が含まれる。
この情報には、各部位が取り付けられる位置（場所）を表す文字列やマーク、取付位置に対する取付方向を示す矢印等のマークが含まれる。
【０００８】
１つの態様では、前記防水シートは、複数の部位を取り付けることで設置され、前記設置手順に関する情報には、前記複数の部位の少なくとも１つの部位の取付状態を示す図が含まれる。
１つの態様では、後述する実施形態に示すように、前記図には、側方押し込み要素の取付状態の説明図（第１説明図）、下方押し込み要素の取付状態の説明図（第２説明図）が含まれ、１つの態様では、これらの説明図は主面部に表示される。
【０００９】
１つの態様では、前記防水シートは、複数の部位を取り付けることで設置され、前記複数の部位の少なくとも１つの部位は、取付要素を用いて取り付けられ、
前記設置手順に関する情報には、取付要素の取付順序、取付要素の取付位置、取付要素の取付方向、当該部位に対する取付要素の位置の少なくとも１つが含まれる。
前記防水シートの設置手順に関する情報には、取付要素に関するこれらの情報が含まれる。
前記部位に対する取付要素の位置には、防水シートの当該部位上に表示した位置決めのための参照マークが含まれ、当該参照マーク上に取付要素をセットすることができる。
１つの態様では、前記参照マークの寸法（ある一方向の寸法でもよい）は、そこにセットされる取付要素の寸法（ある一方向の寸法でもよい）と一致させてある。
１つの態様では、異なる寸法（例えば、ある一方向の寸法が異なる）を有する複数種類の取付要素が用いられる場合に、それぞれの取付要素に対応する参照マークを表示しておけば、異なる種類の取付要素の取り違いを防止することができる。
後述する実施形態では、幅寸法（短手方向）の異なる側方押し込み要素と下方押し込み要素が用いられ、それぞれの幅寸法（短手方向）と一致する幅を備えた参照マークが表示されている。
【００１０】
１つの態様では、後述する実施形態に示すように、取付要素は、第１側方押し込み要素、第２側方押し込み要素、下方押し込み要素であり、１つの態様では、前記防水シートは、
前記第１側方部位の部分が、第１側方押し込み要素を用いて当該第１側方押し込み要素と共にガイド溝（より具体的には、ガイド溝の縁部とシャッターカーテンの幅方向端部との間）に押し込まれ、
前記第２側方部位の部分が、第２側方押し込み要素を用いて当該第２側方押し込み要素と共にガイド溝（より具体的には、ガイド溝の縁部とシャッターカーテンの幅方向端部との間）に押し込まれ、
前記下方部位の部分が、下方押し込み要素を用いて当該下方押し込み要素と共にシャッターカーテン下端と床面との間に押し込まれることで設置され、
前記押し込み手順に関する情報には、前記第１側方押し込み要素、前記第２側方押し込み要素、前記下方押し込み要素の押し込み順序（取付要素の取付順序）が含まれている。
１つの態様では、前記第１側方押し込み要素、前記第２側方押し込み要素は、断面視くさび形状の挿入部を備え、防水シートの側方部位の部分は前記挿入部と共にガイド溝内に押し込まれる。
１つの態様では、前記下方押し込み要素は、断面視くさび形状の挿入部を備え、防水シートの下方部位の部分は前記挿入部と共に座板下面と床面との間に押し込まれる。
１つの態様では、前記防水シートの設置には、ガイド溝に挿入された第１側方押し込み要素、第２側方押し込み要素を下方に押し込むことが含まれ、
前記押し込み手順に関する情報には、前記第１側方押し込み要素、前記第２側方押し込み要素の下方への押し込み順序（取付要素の取付順序）が含まれている。
１つの態様では、前記押し込み手順に関する情報には、前記第１側方押し込み要素、前記第２側方押し込み要素、前記下方押し込み要素の少なくとも一つの要素の押し込み方向（取付要素の取付方向）が含まれている。
１つの態様では、前記押し込み手順に関する情報には、押し込み時に「手」を置く位置の参照（目安）となるマークが含まれている。
１つの態様では、上記マークは、「手」の図形マークであり、指の向きが押し込み方向に一致している。
１つの態様では、取付要素の取付位置を示す情報には、取付位置を示す文字列が含まれる。後述する実施形態では、第１側方押し込み要素、第２側方押し込み要素、下方押し込み要素を取り付ける位置（押し込む位置）が文字列で表示されている。
１つの態様では、
前記押し込み手順に関する情報には、前記第１側方押し込み要素、前記第２側方押し込み要素の少なくとも一方の位置決め参照マーク（各部位に対する取付要素の位置を示す情報）、および／あるいは、少なくとも一つの前記下方押し込み要素の位置決め参照マーク（各部位に対する取付要素の位置を示す情報）が含まれている
１つの態様では、前記位置決め参照マークは、前記防水シートにあてがう前記側方押し込み要素の面と同一寸法・同一形状を有している。
１つの態様では、前記位置決め参照マークは、前記主面部に表示されている。
１つの態様では、前記防水シートには、前記第１側方押し込み要素が固定されている。
１つの態様では、前記押し込み手順に関する情報には、前記下方押し込み要素の位置決め参照マーク（各部位に対する取付要素の位置を示す情報）が含まれている。
１つの態様では、前記下方部位の部分の押し込みは、複数の下方押し込み要素を建物開口部の一側から他側に開口幅方向に沿って連続的に押し込むものであり、
前記押し込み手順に関する情報には、少なくとも、一側に位置して最初に押し込まれる下方押し込み要素の位置決め参照マークが含まれている。
１つの態様では、前記位置決め参照マークは、前記防水シートにあてがう前記下方押し込み要素の面と同一寸法・同一形状を有している。
１つの態様では、前記位置決め参照マークは、前記下方部位に表示されている。
【００１１】
本発明が採用した他の技術手段は、開口幅寸法に対応する所定長さに裁断することで、全閉状態の建物開口部を床面から少なくとも所定高さに亘って覆うように設置して防水構造を構成する防水シート（後述する防水シート５）を得るためのシート体（後述する防水シート６）であって、
前記シート体（防水シート６）には、前記防水シート（防水シート５）の設置手順に関する情報が表示されている、シート体、である。
防水シートの設置手順に関する情報は、上記防水シートに係る説明を援用することができる。
１つの態様では、前記シート体には、第１側に位置して、第１側方押し込み要素が固定されており、
前記シート体には、第１側から所定長離間した部位から第２側に亘って、切断位置の参照となる寸法線が所定間隔毎に表示されている。
【発明の効果】
【００１２】
本発明では、防水シート上に当該防水シートの設置手順に関する情報が表示されているので、この情報を参照しながら防水シートを設置することができ、例えば緊急使用時においても、取付説明書を参照することなく速やかに防水シートを設置することができる。
【００１３】
押し込み要素を用いて防水シートを取り付ける態様において、押し込み要素の押し込み手順に関する情報（押し込み要素のセット位置の参照となるマーク、押し込み要素の押し込み順序や方向等）を防水シートに表示することで、防水シートを迅速に設置することができる。
【図面の簡単な説明】
【００１４】
【図１】建物開口部全閉状態にあるシャッター装置の正面図である。
【図２】建物開口部全閉状態にあるシャッター装置の横断面図である。
【図３】建物開口部全閉状態にあるシャッター装置の下方部位の縦断面図である。
【図４】本実施形態に係る防水シートが設置されたシャッター装置の正面図及び横断面図である。
【図５】本実施形態に係る防水シートが設置されたシャッター装置の一部省略拡大横断面図である。
【図６】本実施形態に係る防水シートが設置されたシャッター装置の一部省略拡大縦断面図である。
【図７】図６の下方部位の拡大図である。
【図８】側方押し込み要素を示す図である。
【図９】下方押し込み要素を示す図である。
【図１０】切断前の防水シートの全体図である。シート全長は約２６００ｍｍであり、７００〜２２００ｍｍの幅の開口部に対応可能である。
【図１１】図１０に示す防水シートの切断部位を部分的に拡大して示す図である。
【図１２】図１０に示す防水シートを切断して得られた設置用の防水シートの全体図である。図示の防水シートは、建物開口幅７００ｍｍに対応するものである。
【図１３】図１２の部分拡大図である。
【図１４】図１３の部分拡大図である。
【図１５】図１４の部分拡大図である。
【図１６】図１０に示す防水シートを切断して得られた設置用の防水シートの全体図である。図示の防水シートは、建物開口幅１０００ｍｍに対応するものである。
【図１７】他の実施形態に係る切断前の防水シートの全体図である。シート全長は約４１００ｍｍであり、２２００〜３７００ｍｍの幅の開口部に対応可能である。
【図１８】（Ａ）、（Ｂ）は共に、本実施形態に係る防水シートが設置されたシャッター装置の一部省略拡大横断面図であって、シャッターカーテンの屋内側に設置した補強部材が示してある。
【図１９】本実施形態に係る防水シートが設置されたシャッター装置の下方部位の縦断面図であって、シャッターカーテンの屋内側に設置した補強部材が示してある。
【図２０】補強部材を示す図である。
【図２１】開口部全閉状態のシャッター装置の下方部位の斜視図であり、本実施形態に係る防水シートを設置することで得られた浸水防止構造を示している。
【図２２】防水シートの設置手順を示す図であって、防水シートの幅方向の一方（左側）の側部を、側方押し込み要素を用いてシャッターカーテンとガイドレールとの隙間に押し込む作業を示している。
【図２３】防水シートの設置手順を示す図であって、防水シートの幅方向の他方（右側）の側部を、側方押し込み要素を用いてシャッターカーテンとガイドレールとの隙間に押し込む作業を示している。
【図２４】防水シートの設置手順を示す図であって、防水シートの下方部位を、下方押し込み要素を用いて床面とシャッターカーテン下端の座板との隙間に押し込む作業を示している。
【図２５】防水シートの設置手順を示す図であって、側方押し込み要素を下方に押し付ける作業を示している。
【発明を実施するための形態】
【００１５】
［Ａ］シャッター装置の基本構成
図１は、全閉姿勢にあるシャッター装置の正面図、図２は、同シャッター装置の横断面図、図３は、同シャッターの部分縦断面図であって、シャッター装置は、建物開口部（開口幅寸法Ｗ）の幅方向左右に立設されたガイドレール１と、建物開口部を開閉するシャッターカーテン２と、シャッターカーテン２の上端が連結されており、当該シャッターカーテン２が巻き取られる巻取シャフト３と、建物開口部上方に設けられ、巻取シャフト３及び巻取シャフト３に巻装されたシャッターカーテン２を収容するシャッターケース４と、を備えている。図示の態様では、シャッターカーテン２は、開口幅方向に延びる長尺状のスラット２０を上下に互いに連結（本実施形態では、いわゆるインターロック結合）することで構成されており、下端には座板２１が連結されている。座板２１は、最下位のスラット２０に連結された立ち上がり部２１０と、立ち上がり部２１０の下端で略水平状に延びる着床部２１１と、から断面視逆Ｔ形状を有している。
【００１６】
図２に示すように、ガイドレール１は、屋外側側辺と１０と、屋内側側辺１１と、屋外側側辺１０と屋内側側辺１１を連結する底辺１２と、屋外側側辺１０の先端に形成された屋外側前片１３と、屋内側側辺１１の先端に形成された屋内側前辺１４と、からなる。屋外側前辺１３と屋内側前辺１４間にシャッターカーテン２の幅方向端部を受け入れるガイド溝Ｇが形成されており、より具体的には、ガイド溝Ｇは屋外側縁部１３０と屋内側縁部１４０間に形成されている。建物開口部全閉姿勢において、シャッターカーテン２の幅方向両端部は、それぞれ左右のガイドレール１のガイド溝Ｇ内に受け入れられており、シャッターカーテン２の下端の座板２１（着床部２１１）の下面は床面ＦＬに着床している。
【００１７】
全閉姿勢のシャッターカーテン２によって、建物開口部の屋外側空間と屋内側空間とが仕切られる。図３において、左側が屋外側で、右側が屋内側である。スラット２０は皿状の縦断面形状を有しており、ガイド溝Ｇ内において、フラット状の屋外側面部２００がガイド溝Ｇの屋外側縁部１３０に近接しており、上下隣接するスラット２０の連結部（インターロック結合部）がガイド溝Ｇの屋内側縁部１４０に近接している。
【００１８】
［Ｂ］浸水防止構造
［Ｂ−１］概要
本実施形態では、建物開口部全閉状態のシャッター装置の屋外側の下方部位（想定最高水位＋マージンαに対応し、床面ＦＬから高さＨ）に、防水シート５を取り付けることで浸水防止構造ないし防水装置を構成する。防水シート５は、防水性を有する布から構成される。例えば、防水シート５は、表面がナイロン、裏面がポリウレタンからなるシートであり、ある程度の伸縮性を有する。防水シート５は、例えば、市場において入手可能な公知の防水シートから当業者において適宜選択され得る。図１２、図１６に示すように、防水シート５は、所定の縦幅、横幅を備えた横長方形状のシートであり、全閉姿勢にあるシャッターカーテン２の屋外側の下方部位に対して、シート幅方向の左右側部を、ガイド溝Ｇ内、具体的には、ガイド溝Ｇの屋外側縁部１３０とシャッターカーテン２のスラット２０の屋外側面部２００の幅方向端部との間に押し込み、シート下方部位をシャッターカーテン下端の座板２１（着床部２１１）の下面と床面ＦＬとの間に押し込むことで取り付けられる。こうすることで、設置状態において防水シート５は、全閉姿勢にあるシャッターカーテン２の床面ＦＬから高さＨの正面部位を覆うと共に、当該正面部位の左右側部と下端の三方の隙間を閉鎖する（図４、図２１参照）。
【００１９】
防水シート５の縦幅（高さ寸法）は、設置状態において想定最高水位より高い寸法（想定最高水位＋マージンα、例えばα＝１００ｍｍ）であればよく、高さ寸法は、少なくとも、床面から想定最高水位までの高さ＋α＋下端の押し込みに用いられる縦幅寸法よりも大きい。例えば、想定最高水位が床面から３００ｍｍであれば、下端の押し込み量を考慮して、６００ｍｍ以上である。防水シート５の横幅（長さ寸法）は、少なくとも、開口幅寸法＋左右の押し込みに用いられる幅寸法よりも大きい。例えば、開口幅寸法が２０００ｍｍであれば、左右の押し込み量を考慮して、２４００ｍｍ以上である。
【００２０】
ここで、建物開口部の幅寸法は各現場によって異なり得るので、防水シート５は、共通の防水シート６を、設置場所の開口幅寸法Ｗに合わせて任意の横幅寸法に裁断することで得られるようにしている。本明細書において、裁断前の共通の防水シートを「防水シート６（図１０、図１７参照）」とし、設置場所に合わせて切断された後の防水シートを「防水シート５（図１２、図１６参照）」とする。
【００２１】
より具体的には、防水シート５は、防水シート５の幅方向両端の側方部位を、それぞれ側方押し込み要素７を用いて当該側方押し込み要素７と共にガイドレール１のガイド溝Ｇの屋外側縁部１３０とシャッターカーテン２のスラット２０の屋内側面部２００の幅方向端部との間に押し込み、防水シート５の下方部位を、下方押し込み要素８を用いて当該下方押し込み要素８と共にシャッターカーテン下端の座板２１（着床部２１１）の下面と床面ＦＬとの間に押し込むことで、全閉姿勢のシャッターカーテン２の側方部位（床面ＦＬから所定高さＨ、例えばＨ＝４００ｍｍ程度）の隙間、下端部位の隙間を閉塞すると共に、シャッターカーテン２の下方部位（床面ＦＬから高さＨ）を屋外側から覆うように設置される。
【００２２】
側方押し込み要素７（図８）、下方押し込み要素８（図９）は、共に、断面視三角形状のくさび形状の挿入部を有しており、この挿入部を利用して防水シート５の側方部位、下方部位をそれぞれ、当該挿入部に接触させた状態でガイド溝Ｇの屋外側縁部１３０とスラット２０の屋外側面部２００の端部との間、座板２１（着床部２１１）の下面と床面ＦＬとの間に押し入れる。挿入部を、当該挿入部に防水シート５が接触ないし密着した状態で、ガイド溝Ｇの屋外側縁部１３０とスラット２０の屋外側面部２００の端部との間、座板２１（着床部２１１）の下面と床面ＦＬとの間に押し入れることで、挿入部の押し込みによって形成された隙間を当該挿入部と当該挿入部の周囲に接触した防水シート５で閉塞して浸水防止構造を提供する。側方押し込み要素７、下方押し込み要素８の材質は限定されないが、例えば、防水ないし止水用途で採用されるゴム等の樹脂（例えば、ＥＰＤＭ）から形成される。
【００２３】
［Ｂ−２］側方押し込み要素
側方押し込み要素７は、その挿入部によって、防水シート５の側方部位を、ガイド溝Ｇの屋外側縁部１３０とスラット２０の屋外側面部２００の端部との間に押し込む部材である。図８に示すように、側方押し込み要素７の挿入部は、第１面７０と、第１面７０に対して傾斜状に延びる第２面７１と、からなり、先端から基端へ向かって漸次厚み（第１面７０と第２面７１間の距離）が増加するように構成されている。図示の態様では、挿入部の第２面７１には、複数の小突起７１０が形成されている。小突起７１０は、第２面７１上に先端から基端に向かって間隔を存して複数形成されており、各小突起７１０は、先端から基端に向かって傾斜状に突出している。
【００２４】
側方押し込み要素７は、第２面７１に対して離間して対向状に延びる弾性押圧片７２を備えている。弾性押圧片７２の先端側は自由端となっており、第２面７１から離間する方向に容易に湾曲変形可能となっている。弾性押圧片７２は、挿入部と略同じ形状・大きさを備えている。本実施形態では、弾性押圧片７２は、挿入部に比べて肉薄であり、かつより柔軟性が高い（硬度が低い）材料から形成されている。側方押し込み要素７の挿入時に、弾性押圧片７２を第２面７１から離間する方向に容易に湾曲変形させることができる（図５、図１４、図２２参照）。弾性押圧片７２の先端には第２面７１から離れる方向に折曲片７２０が形成されている。
【００２５】
側方押し込み要素７は、第１面７０、第２面７１を垂直姿勢とした時に所定の高さ寸法を備えている。側方押し込み要素７は、垂直姿勢において、上面７３、下面７４の基端側半部を切り欠くことで、それぞれ、上端面７３０と凹み部７３１、下端面７４０と凹み部７４１からなる段部となっている。上面７３、下面７４は、上下反転させることでそれぞれ下面、上面となり、１種類の共通の部材で左右の側方押し込み要素７を形成することができる。側方押し込み要素７の高さ寸法（上端面７３０と下端面７４０間の距離）は、想定最高水位＋αに対応しており、例えば、４００ｍｍ前後である。側方押し込み要素７の第１面７０の幅寸法（短手方向の幅）はｄ１である。
【００２６】
［Ｂ−３］下方押し込み要素
下方押し込み要素８は、その挿入部によって、防水シート５の下方部位を、シャッターカーテン下端の座板２１（着床部２１１）の下面と床面ＦＬとの間に押し込む部材である。図９に示すように、下方押し込み要素８の挿入部は、第１面８０と、第１面８０に対して傾斜状に延びる第２面８１と、からなり、先端から基端へ向かって漸次厚み（第１面８０と第２面８１間の距離）が増加するように構成されている。幅方向両端部の側面８３は、下方押し込み要素８の断面形状、すなわち、くさび形状を有している。
【００２７】
第１面８０の基端側には凹８００部が形成されており、凹部８００には弾性押圧部８０１が設けてある。弾性押圧部８０１は、例えば、下向きＵ形状の薄肉中空体であり、押し込みに耐え得る程度の硬度を有するくさび状の挿入部の硬度に比べて軟らかい材料（例えば、ＥＰＤＭスポンジからなる）から形成されている。弾性押圧部８０１は、第１面８０が接地しない状態では、第１面８０から突出しており、第１面８０が接地した状態では、弾性変形して第１面８０と同じレベルとなる。基端側の後面８２は凹状に形成されている。
【００２８】
下方押し込み要素８の第１面８０の長さ寸法（側面８３間の距離）は、限定されないものの、例えば、３００ｍｍ、６００ｍｍの２種類が用意される。下方押し込み要素８を長手方向に連続状に設置することで、所定の建物開口幅寸法Ｗに対応するようになっている。また、下方押し込み要素８は、必要であれば、短尺に切断して用いることができる。本実施形態では、下方押し込み要素８の第１面８０の幅寸法（短手方向の幅）ｄ２は、側方押し込み要素７の第１面７０の幅寸法（短手方向の幅）ｄ１よりも幅広となっている。
【００２９】
［Ｂ−４］切断前の防水シート
図１０、図１７に、切断前の防水シート６を示す。防水シート６は、所定の縦幅（防水シート５の縦幅と同じ）、横幅（想定される開口幅寸法よりも大きい）を備えた横長方形状のシートであり、防水シート６を、現場の開口幅寸法に適合する横幅寸法となるように裁断することで防水シート５を得る。図１０に示す防水シート６は、例えば、縦幅６００ｍｍ、横幅２６００ｍｍの横長方形であり、図１７に示す防水シート６は、縦幅６００ｍｍ、横幅４１００ｍｍの横長方形である。
【００３０】
本実施形態では、想定最高水位を床面ＦＬから３００ｍｍ程度としており、防水シート６の上縁から下方に向かって４００ｍｍの位置に、シャッター下端を示す水平線ＨＬ（図１１〜図１３参照）が表示されている。図１０〜図１７において、水平線ＨＬ上に「▽シャッター下端▽」が表示されている。水平線ＨＬの下側の下方領域は、例えば、縦幅２００ｍｍとなっている。この下方領域の縦幅は、図１５に示すような状態で座板２１の着床部２１１の下面と床面ＦＬとの間に押込まれて、シャッター下端を閉塞できる程度の寸法であればよい。
【００３１】
防水シート６の長さ方向（横幅方向）の左側（第１側）には、所定横幅（例えば、２００ｍｍ）の領域（後述する第１側方領域５１）を残して、左側（第１側）の第１側方押し込み要素７を押し当てる位置決め領域が形成されており、本実施形態では、第１側方押し込み要素７は予め前記位置決め領域に固定されている。第１側方押し込み要素７は、くさび形状の挿入部の先端を防水シート６の第１端部（左側）に向けて固定されている（図５、図１４等参照）。一方の側方押し込み要素７を予め防水シート６に固定しておくことで、現場における当該側方押し込み要素７の位置決めの必要がない。本実施形態では、第１側方押し込み要素７は、第１面７０を防水シート６の前記位置決め領域に重ねて縫着されている。より具体的には、側方押し込み要素７の上端面７３０を防水シート６の上縁に合わせ、下端面７４０を水平線ＨＬに合わせて、縦方向に２列で図示しない糸（例えばナイロン糸）を用いて縫着されている。なお、予め固定しない第１側方押し込み要素７を用いてもよく、この場合には、第１側方押し込み要素７をあてがう位置に参照となる位置決め参照マークを表示することが望ましい。
【００３２】
防水シート６には、固定された第１側方押し込み要素７の基端（右側）に隣接する部位には、第１側方押し込み要素７を用いたシート端部の押し込み手順に関する情報が表示されている。表示された情報の具体的な内容については、防水シート５の説明を参照されたい。
【００３３】
防水シート６には、左側（第１側）から右側（第２側）へ向かって長さ方向（横幅方向）に所定寸法離間した位置に、右側（第２側）の第２側方押し込み要素７´をあてがう位置の参照となる側方位置決め参照マーク７Ａが表示されている。この側方位置決め参照マーク７Ａは、側方押し込み要素７の実寸で表示されており、より具体的には、第１面７０の形状と同一である。第１側方位置決め参照マーク７Ａの上端は防水シート６の上縁と一致しており、下端は水平線ＨＬと一致している。
【００３４】
固定された第１側方押し込み要素７の左端（先端）と、第２側方押し込み要素７´のための側方位置決め参照マーク７Ａの右端と、の間の寸法は、想定される最小開口幅寸法に対応するものであり、図１０に示す実施例では７２０ｍｍ、図１７に示す実施例では２２２０ｍｍである。
【００３５】
防水シート６には、側方位置決め参照マーク７Ａの左側に隣接する部位に、第２側方押し込み要素７´を用いたシート端部の押し込み手順に関する情報が表示されている。表示された情報の具体的な内容については、防水シート５の説明を参照されたい。側方位置決め参照マーク７Ａと上記情報とから、第２側方押し込み要素７´を用いた作業手順を示す第１側方位置決め参照マークセットが形成されている。
【００３６】
図１１に示すように、防水シート６には、側方位置決め参照マーク７Ａの右側（第２側）に位置して、寸法線が長さ方向（横幅方向）に間隔（例えば、５０ｍｍ間隔）を存して表示されている。寸法線は、防水シート６の縦幅全体に亘って延びており、下側の切断位置の表示はシャッター下端を示す水平線ＨＬの下方領域にある。寸法線には、１本置きに（すなわち、１００ｍｍ間隔で）、上側に位置して、左から右に向かって、９００、１０００、１１００・・・と寸法が表示されており、下側に位置して、左から右側に向かって、７００、８００、９００、・・・と表示されている。
【００３７】
これらの複数の寸法線は、防水シート６における切断位置を示す裁断線としての意義と、右側（第２側）の側方押し込み要素７の位置決めの参照として用いる位置決め線としての意義を有する。同一の寸法線において、上側の数値と下側の数値で２００ｍｍの差があることに留意されたい。これについては後述する。
【００３８】
図１０に示す防水シート６において、寸法線１５００ｍｍ付近には、第２側方押し込み要素７´をあてがう側方位置決め参照マーク７Ｂが表示されている。この側方位置決め参照マーク７Ｂは、側方押し込み要素７の実寸で表示されており、より具体的には、第１面７０の形状と同一である。第２側方位置決め参照マーク７Ｂの上端は防水シート６の上縁と一致しており、下端は水平線ＨＬと一致している。
【００３９】
防水シート６には、側方位置決め参照マーク７Ｂの左側に隣接する部位に、第２側方押し込み要素７´を用いたシート端部の押し込み手順に関する情報が表示されている。表示された情報の具体的な内容については、防水シート５の説明（側方位置決め参照マーク７Ａの説明）を参照されたい。側方位置決め参照マーク７Ｂと上記情報とから、第２側方押し込み要素７´を用いた作業手順を示す第２側方位置決め参照マークセットが形成されている。
【００４０】
防水シート６において、寸法線２２００ｍｍ付近には、第２側方押し込み要素７´をあてがう側方位置決め参照マーク７Ｃが表示されている。この側方位置決め参照マーク７Ｃは、側方押し込み要素７の実寸で表示されており、より具体的には、第１面７０の形状と同一である。第３側方位置決め参照マークの上端は防水シート６の上縁と一致しており、下端は水平線ＨＬと一致している。
【００４１】
防水シート６には、側方位置決め参照マーク７Ｃの左側に隣接する部位には、第１側方押し込み要素７を用いたシート端部の押し込み手順に関する情報が表示されている。表示された情報の具体的な内容については、防水シート５の説明（側方位置決め参照マーク７Ａの説明）を参照されたい。側方位置決め参照マーク７Ｃと上記情報とから、側方押し込み要素７を用いた作業手順を示す第３側方位置決め参照マークセットが形成されている。
【００４２】
このように、第２側方押し込み要素７´を用いた作業のための側方位置決め参照マークセットが、防水シート６上において、所定幅寸法置きに繰り返して表示されている。第２側方押し込み要素７´に関連する作業において、防水シート６を切断位置７００〜１２００までの位置で切断して得られた防水シート５においては、第１側方位置決め参照マークセットが参照され、切断位置１２００〜１８００までの位置で切断して得られた防水シート５においては、第２側方位置決め参照マークセットが参照され、切断位置１８００以降の位置で切断して得られた防水シート５においては、第３側方位置決め参照マークセットが参照され得る。なお、後述するように、第２側方押し込み要素７´の位置決めについては、裁断後の防水シート５上に第２側方押し込み要素７´を押し当てる位置をマーキングしておくことが望ましい。
【００４３】
シャッター下端を示す水平線ＨＬの下方領域には、左側（第１側）に位置して、下方押し込み要素８をあてがうための第１下方位置決め参照マーク８Ａが表示されている。この第１下方置決めマーク８Ａは、下方押し込み要素８の実寸で表示されており、より具体的には、第１面８０の形状・寸法と同一である。ここで、同じ縦幅であって長さのみ異なる複数の下方押し込み要素８が用いられ得ることに留意されたい。例えば、３００ｍｍと６００ｍｍの長さの異なる下方押し込み要素８が用いられる場合に、１つの態様では、長さ３００ｍｍの下方位置決め参照マークが用意され、開口幅方向に連続する２つの長さ３００ｍｍの下方位置決め参照マークが長さ６００ｍｍの下方押し込み要素の第１面の形状・寸法と同一となる。第１下方位置決め参照マーク８Ａの上端と、シャッター下端を示す水平線ＨＬとの間には、所定の縦幅（例えば、５０ｍｍ）の領域（後述する上側部分５３０）が設けてあり、この領域は下方押し込み要素８によって、座板２１の着床部２１１の上面に沿って延びると共に折り返されて座板２１の着床部２１１の下面と床面ＦＬとの間に押し込まれる。第１側方位置決め参照マーク８Ａの左端は、防水シート６に固定された第１側方押し込み要素７の下端面７４０と凹み部７４１との段差を通る垂直線上にある。
【００４４】
防水シート６には、第１下方位置決め参照マーク８Ａに対応して、下方押し込み要素８を用いたシート下端の押し込み手順に関する情報が表示されている。表示された情報の具体的な内容については、防水シート５の説明を参照されたい。
【００４５】
第１下方位置決め参照マーク８Ａに隣接して、下方押し込み要素８をあてがうための第２下方位置決め参照マーク８Ｂが表示されている。この第２下方置決めマーク８Ｂは、下方押し込み要素８の実寸で表示されており、より具体的には、下方押し込み要素８の第１面８０の形状・寸法と同一である。なお、上述の長さの異なる下方押し込み要素８を用いる例では、第１下方位置決め参照マーク８Ａ＋第２下方位置決め参照マーク８Ｂに対して、１つの下方押し込み要素８が用いられ得る。第２下方位置決め参照マーク８Ｂの上端と、シャッター下端を示す水平線ＨＬとの間には、所定の縦幅（例えば、５０ｍｍ）の領域（後述する上側部分５３０）が設けてあり、この領域は下方押し込み要素８によって、座板２１の着床部２１１の上面に沿って延びると共に折り返されて座板２１の着床部２１１の下面と床面ＦＬとの間に押し込まれる。第２側方位置決め参照マーク８Ｂの左端は、第１側方位置決め参照マーク８Ａの右端に隣接している。
【００４６】
防水シート６には、第２下方位置決め参照マーク８Ｂに対応して、下方押し込み要素８を用いたシート下端の押し込み手順に関する情報が表示されている。表示された情報の具体的な内容については、防水シート５の説明を参照されたい。
【００４７】
防水シート６の下方領域において、寸法線１５００ｍｍ〜２２００ｍｍ付近には、下方位置決め参照マーク８Ｃ、８Ｄが表示されている。下方位置決め参照マーク８Ｃ、８Ｄに対応して、下方押し込み要素８を用いたシート下端の押し込み手順に関する情報が表示されている。図１７に示す防水シート６では、さらに、下方位置決め参照マーク８Ｅ、８Ｆが表示されており、下方位置決め参照マーク８Ｅ、８Ｆに対応して、下方押し込み要素８を用いたシート下端の押し込み手順に関する情報が表示されている。
【００４８】
防水シート６の切断について説明する。例えば、切断位置に付した数値７００は、切断後の防水シート５が設置される建物開口部の開口幅寸法に対応している。本実施形態では、実際の切断位置は、寸法線９００となっている。これは、切断後の防水シート５において、右側の第２側方押し込み要素７´の側方位置決め参照マークの右側には、横幅２００ｍｍの領域（後述する第２側方領域５２）が設けてあることを意味する（図１２参照）。例えば、開口幅寸法Ｗが７００ｍｍであると測定された場合には、数値７００で防水シート６を切断すれば、開口幅寸法Ｗが７００ｍｍの建物開口部に対応する長さの（横幅）の防水シート５が得られる。ここで留意すべき点は、数値７００の切断線で裁断することで得られた防水シート５の長さは、Ｗ´＋Ｗ１＋Ｗ２であり（図１２参照）、Ｗ´＝Ｗ（７００ｍｍ）＋β×２、であり、βは正面領域５０において、左右のガイド溝Ｇ内に押し込まれる量であり、例えば、１０ｍｍである。
【００４９】
図１２に示す例では、第１側方位置決め参照マーク７Ａ上に右側（第２側）の側方押し込み要素７をあてがえるようになっているが、多くの場合は、図１６に例示するように、側方位置決め参照マーク７Ａ、７Ｂ、７Ｃのいずれかと第２側方押し込み要素７´を実際にセットする位置とは一致しない。例えば、防水シート６を寸法線１２００（切断位置１０００）で切断して得られた防水シート５（図１６）においては、右側（第２側）の第２側方押し込み要素７´の先端を、寸法線１０００に合わせてあてがうことができる。また、後述するように、第２側方押し込み要素７´をあてがうセット位置を、防水シート６上にマーキングしておくことが望ましい（寸法線を参照しながらマーキングしてもよい）。
【００５０】
防水シート６の面部には、左側（第１側）の固定された側方押し込み要素７に近接した手のマークの右側に位置して、側方押し込み要素７の押し込みに関する説明図（第１説明図Ｅ１）が表示されている。説明の便宜上、図１４の拡大図中に参照番号を付加したが、実際の防水シート６上にはこれらの参照番号は存在しない点に留意されたい。第１説明図Ｅ１は、防水シート５の第１側方部位を第１側方押し込み要素７の挿入部と共に、ガイド溝の屋外側縁部１３０とスラット２０の屋外側面部２００の幅方向端部との間に押し込むことを説明する模式図であり、ガイドレール１、スラット２０、第１側方押し込み要素７、防水シート５を横断面で示している。第１説明図Ｅ１には、第１側方押し込み要素７の押し込み方向を示す矢印「←」及び文字列「押込む」が表示されており、第１側方押し込み要素７は、弾性押圧片７２が挿入部に対して拡開した状態となっている。第１説明図Ｅ１は、第１側方押し込み要素７がガイド溝の屋外側縁部１３０とスラット２０の屋外側面部２００の幅方向端部との間に押し込まれた状態を示している。防水シート５の第１側方部位の部分（第１端部領域５００）が第１側方押し込み要素７の第１面７０とスラット２０の屋外側面部２００との間に挟まれてこれらの面に密着しており、第１側方部位の部分５１０が第１側方押し込み要素７の第２面７１に密着すると共に、第２面７１と屋外側縁部１３０との間に挟まれており、さらに、第１側方部位の部分５１１が屋外側に延びている。図示の態様では、第１説明図Ｅ１は、正面領域５０において、防水シート５の第１側方部位に近い部位に表示されていることから、防水シート５の第１側方部位を第１側方押し込み要素７を用いてガイド溝Ｇ内に押し込む作業時に、第１説明図Ｅ１を見ながら作業を行うことができる（図２２参照）。
【００５１】
防水シート６の面部には、左側（第１側）の第１下方位置決め参照マーク８Ａの上方に位置して、下方押し込み要素８の押し込みに関する説明図（第２説明図Ｅ２）が表示されている。説明の便宜上、図１５の拡大図中に参照番号を付加したが、実際の防水シート６上にはこれらの参照番号は存在しない点に留意されたい。第２説明図Ｅ２は、防水シート５の下方部位を下方押し込み要素８の挿入部と共に、座板２１の着床部２１１の下面と床面Ｆｌとの間に押し込むことを説明する模式図であり、座板２１、床面ＦＬ、第１側方押し込み要素７、防水シート５を縦断面で示している。第２説明図Ｅ２には、下方押し込み要素８の押し込み方向を示す矢印「←」及び文字列「押込む」が表示されている。第２説明図Ｅ２は、下方押し込み要素８が座板２１の着床部２１１の下面と床面ＦＬとの間に押し込まれた状態を示している。防水シート５の下方部位の部分（上側部分５３０）が着床部２１１の下面と下方押し込み要素８の第２面８１との間に挟まれてこれらの面に密着しており、下方部位の部分（中間部分５３１）が下方押し込み要素８の第２面７１と床面ＦＬとの間に挟まれてこれらの面に密着しており、さらに、下方部位の部分（下側部分５３２）が屋外側に延びている。図示の態様では、第２説明図Ｅ２は、正面領域５０において、防水シート５の下方部位に近い部位に表示されていることから、防水シート５の下方部を下方押し込み要素８を用いて座板２１の着床部２１１の下面と床面ＦＬとの間に押し込む作業時に、第２説明図Ｅ２を見ながら作業を行うことができる（図２４参照）。
【００５２】
防水シート６上に表示された防水シートの設置に関する情報は、好ましくは、シート上に印刷（プリント）されたものであるが、印刷に限定されるものではなく、その他に、シールの貼着、描画等が例示される。
【００５３】
［Ｂ−５］切断後の防水シート
図１２を参照しつつ、現場で設置される防水シート５の構成について説明する。図１２に示す防水シート５は、防水シート６を切断位置７００（寸法線９００）に沿って切断したものである。防水シート５は、大きく分けると、全閉姿勢にあるシャッターカーテン２の下方部位の屋外側正面部を覆う正面領域５０（例えば、横幅（７００＋２０）ｍｍ×高さ４００ｍｍ）と、正面領域５０の横幅方向の第１側に位置する第１側方領域５１（例えば、横幅Ｗ１＝２００ｍｍ）と、正面領域５０の横幅方向の第２側に位置する第２側方領域５２（例えば、横幅Ｗ２＝２００ｍｍ）と、正面領域５０の下方に位置する下方領域５３（例えば、高さ２００ｍｍ）と、からなる。
【００５４】
正面領域５０において、第１側方領域５１と隣接する第１端部領域５００は、第１側方押し込み要素７の第１面７０が接触（固定を含む）する部分であり、第２側方領域５２と隣接する第２端部領域５０１は、第２側方押し込み要素７´の第１面７０が接触する部分となっている。
【００５５】
第１側方領域５１において、正面領域５０の第１端部領域５００と隣接する部分５１０は、第１側方押し込み要素７の押し込み時に折り返されて、第１側方押し込み要素７の第２面７１に接触する部分であり、部分５１０の外側に位置する部分５１１は、第１側方押し込み要素７によって第１側方領域５１をガイド溝Ｇの屋外側縁部１３０とスラット２０の屋外側面部２００の端部との隙間に押し込んだ状態で、ガイド溝Ｇから屋外側に延出する余端部となっている。
【００５６】
第２側方領域５２において、正面領域５０の第２端部領域５０１と隣接する部分５２０は、第２側方押し込み要素７´の押し込み時に折り返されて、第２側方押し込み要素７´の第２面７１に接触する部分であり、部分５２０の外側に位置する部分５２１は、第２側方押し込み要素７´によって第２側方領域５２をガイド溝Ｇの屋外側縁部１３０とスラット２０の屋外側面部２００の端部との隙間に押し込んだ状態で、ガイド溝Ｇから屋外側に延出する余端部となっている。
【００５７】
下方領域５３において、正面領域５０に隣接する上側部分５３０は、下方押し込み要素８の押し込み時に折れ曲がって、座板２１の着床部２１１の室外側上面、着床部２１１の下面及び下方押し込み要素８の第２面８１に接触する部位である。シャッター下端を示す水平線ＨＬが、正面領域５０と上側部分５３０の境界となっている。下方領域５３において、上側部分５３０に隣接する中間部分５３１は、下方押し込み要素８の第１面８０が接触する部位となっている。下方領域５３において、中間部分５３１に隣接する下側部分５３２は、下方押し込み要素８によって下方領域５３を座板２１の着床部２１１の下面と床面ＦＬとの間に押し込んだ状態で、下方押し込み要素８の基端から屋外側に延出する余端部となっている。
【００５８】
防水シート５を設置した状態において、正面領域５０の第１端部領域５００の部分、及び、第１側方領域５１の部分５１０が一方のガイドレール１のガイド溝Ｇ内に押し込まれ（図１４参照）、正面領域５０の第２端部領域５０１の部分、及び、第２側方領域５２の部分５２０が他方のガイドレール１のガイド溝Ｇ内に押し込まれている。本実施形態では、第１端部領域５００と第１側方領域５１を合わせて「第１側方部位」とし、第２端部領域５０１と第２側方領域５２を合わせて「第２側方部位」とし、「第１側方部位」の部分、「第２側方部位」の部分、がガイド溝Ｇ内に押し込まれる。本実施形態では、正面領域５０から左右端部の第１端部領域５００、第２端部領域５０１を除いた部位が「主面部」である。また、下方領域５３の部分（上側部分５３０の部分、中間部分５３１の部分）が座板２１の着床部２１１の下面と床面との間に押し込まれている。本実施形態では、下方領域５３が「下方部位」となる。
【００５９】
本実施形態では、正面領域５０の第１端部領域５００上には、第１側方押し込み要素７が、当該第１側方押し込み要素７の第２面７１を第１端部領域５００に接触させた状態で予め固定（縫着）されている。第１側方押し込み要素７の先端（左端）が、正面領域５０と第１側方領域５１との境界となっている。なお、予め固定しない第１側方押し込み要素７を用いてもよく、この場合には、第１側方押し込み要素７をあてがう第１端部領域５００に参照となる位置決め参照マークを表示することが望ましい。第２端部領域５０１上には、第２側方押し込み要素７´の位置決め参照マーク７Ａが表示されている。側方位置決め参照マーク７Ａの右端が、正面領域５０と第２側方領域５２との境界となっている。
【００６０】
正面領域５０には、第１端部領域５００（固定された第１側方押し込み要素７）に隣接して、「手」のマークが表示されている。手の指の向きは、右から左に向かっており、押し込み方向を示している。さらに、押し込み順序を示す番号「１」及び押し込み方向を示す矢印「←」が表示されている。番号「１」と共に、文字列「押込部材（縦）をシャッターとガイドレールの間に押込む」と記載されている。さらに、側方押し込み要素７の押し込み方向を示す矢印「↓」と、押し込み順序を示す番号「４」及び文字列「押込む」、「押込部材（縦）を床面まで押込みます」が表示されている。
【００６１】
正面領域５０には、第２端部領域５０１（第２側方押し込み要素７´の側方位置決め参照マーク７Ａ）に隣接して、文字列「押込部材目安位置」、及び、「手」のマークが表示されている。手の指の向きは、左から右に向かっており、押し込み方向を示している。さらに、押し込み順序を示す番号「２」及び押し込み方向を示す矢印「→」及び文字列「押込む」が表示されている。さらに、第２側方押し込み要素７´の押し込み方向を示す矢印「↓」と、押し込み順序を示す番号「４」及び文字列「押込む」、「押込部材（縦）を床面まで押込みます」が表示されている。
【００６２】
図１６に示すように、防水シート６の裁断位置によっては、防水シート５の正面領域５０の第２端部領域５０１に側方位置決め参照マークは位置しない。この例では、寸法線（１０００）が位置決め参照線となり、正面領域５０と第２側方領域５２との境界となっている。なお、後述するように、防水シート５の設置前に、第２側方押し込み要素７´の押し当て位置をマーキングしておくことが望ましい。
【００６３】
正面領域５０には、左側（第１側）に位置して、上側に、側方押し込み要素７を押し込みの説明図（第１説明図Ｅ１）が表示され、下側に、下方押し込み要素８の押し込みの説明図（第２説明図Ｅ２）が表示されている。正面領域５０の下端には、「シャッター下端」という文字と共に、水平線ＨＬが表示されており、水平線ＨＬの下方側が下方領域５３となっている。下方領域５３における上側部分５３０には、押し込み順序を示す番号「３」及び文字列「押込部材（下）を部材位置に置き、シャッター（座板）の下に押込む」が表示されている。
【００６４】
下方領域５３における中間部分５３１には、下方押込み要素８の下方位置決め参照マーク８Ａ、８Ｂが表示されている。下方位置決め参照マーク８Ａの左端は、第１端部領域５００に固定された側方押し込み要素７の下面７４の段差から垂下させた垂直線に位置している。下方位置決め参照マーク８Ａの右端に隣接して、下方位置決め参照マーク８Ｂの左端が位置している。下方位置決め参照マーク８Ａ、８Ｂ上には、それぞれ、文字列「押込部材位置」が表示されている。また、下側部分５３２から中間部分５３１に亘って「手」のマークが表示されている。手の指の向きは、下から上に向かっており、押し込み方向を示している。
【００６５】
下方位置決め参照マーク８Ａの横幅方向中央には、矢印「↑」、文字列「押込む」、押込み順序を表す数字(1)が表示され、横幅方向左側には、矢印「←」、文字列「押込む」、押込み順序を表す数字(2)が表示されている。下方位置決め参照マーク８Ｂの横幅方向中央には、矢印「↑」、文字列「押込む」が表示され、横幅方向左側には、矢印「←」、文字列「合わせる」が表示されている。中間部分５３１には、下方位置決め参照マーク８Ｂの右端の右側に位置して、文字列「繰返し」及び矢印「→」が表示されている。なお、下方位置決め参照マーク８Ｂに隣接して、さらに下方位置決め参照マークを表示してもよい。
【００６６】
下方押し込み要素８の第１面８０の幅寸法ｄ２は、側方位置決め要素７の第１面７０の幅寸法ｄ１よりも大きい。すなわち、下方位置決め要素８の実寸で表示された下方位置決め参照マーク８Ａ、８Ｂの縦幅寸法は、側方位置決め要素７の第１面７０の幅寸法よりも大きく、現場で、取り違えることが無いようになっている。また、最も端に位置する下方位置決め参照マーク８Ａを表示させる代わりに、下方押し込み要素８を予め固定（縫着等）しておいてもよい。
【００６７】
［Ｂ−６］防水シートの設置態様
［Ｂ−６−１］全閉状態のシャッターカーテンの正面部位（床面から所定高さＨ）
全閉状態のシャッターカーテン２の屋外側の正面部位（床面ＦＬから所定高さＨ、例えばＨ＝４００ｍｍ）は、屋外側から当該正面部位に対向ないし接近させて張設された正面領域５０によって覆われる。なお、正面領域５の第１端部領域５００の一部、第２端部領域５０１の一部はガイド溝Ｇ内に押し込まれている。
【００６８】
［Ｂ−６−２］全閉状態のシャッターカーテンの幅方向両側部（床面から所定高さＨ）
図５、図１４に示すように、第１側方押し込み要素７によって防水シート５の横幅方向の側部位が、当該第１側方押し込み要素７の挿入部と共にガイド溝Ｇの屋外側縁部１３０とシャッターカーテン２のスラット２０の屋外側面部２００の端部との隙間に挿入された状態において、第１側方押し込み要素７の第１面７０とシャッターカーテン２の屋外側面部（スラット２０の屋外側面部２００）との間に防水シート５の第１端部領域５００が接触ないし密着し、防水シート５の第１側方部位（第１端部領域５００＋第１側方領域５１）は、第１側方押し込み要素７の挿入部の先端で折り返されて第１側方領域５１が第１側方押し込み要素７の第２面７１に沿って延び、第１側方領域５１の部分５１０が第１側方押し込み要素７の第２面７１に接触ないし密着し、第１側方押し込み要素７の第２面７１とガイド溝Ｇの屋外側縁部１３０との間に防水シート５の第１側方領域５１の部分５１０が挟持され、第１側方領域５１の部分５１１は、第１側方押し込み要素７の第２面７１から離れるように曲がって、ガイド溝Ｇの屋外側縁部１３０から屋外側前辺１３の外面に沿って延び、屋外側側辺１０の外面の前端部位と弾性押圧片７２との間に挟まれる。開口部全閉状態のシャッターカーテン２の屋外側に浸水した場合には、水圧によって弾性押圧片７２が防水シート５の部分５１１をガイドレール１の屋外側外面に押し付けるため、防水シート５の第１側の余端部が捲れることがない。
【００６９】
同様に、右側の第２側方押し込み要素７´によって防水シート５の横幅方向端部が、当該第２側方押し込み要素７´の挿入部と共にガイド溝Ｇの屋外側縁部１３０とシャッターカーテン２のスラット２０の屋外側面部２００の端部との隙間に挿入された状態において、第２側方押し込み要素７´の第１面７０とシャッターカーテン２の屋外側面部（スラット２０の屋外側面部２００）との間に防水シート５の第２端部領域５０１が接触ないし密着し、防水シート５の第２側方部位（第２端部領域５０１＋第１側方領域５２）は、第２側方押し込み要素７´の挿入部の先端で折り返されて第２側方領域５２が第２側方押し込み要素７´の第２面７１に沿って延び、第２側方領域５２の部分５２０が第２側方押し込み要素７´の第２面７１に接触ないし密着し、第２側方押し込み要素７´の第２面７１とガイド溝Ｇの屋外側縁部１３０との間に防水シート５の第２側方領域５１の部分５２０が挟持され、第２側方領域５２の部分５２１は、第２側方押し込み要素７の第２面７１から離れるように曲がって、ガイド溝Ｇの屋外側縁部１３０から屋外側前辺１３の外面に沿って延び、屋外側側辺１０の外面の前端部位と弾性押圧片７２との間に挟まれる。開口部全閉状態のシャッターカーテン２の屋外側に浸水した場合には、水圧によって弾性押圧片７２が防水シート５の部分５２１をガイドレール１の屋外側外面に押し付けるため、防水シート５の第１側の余端部が捲れることがない。
【００７０】
［Ｂ−６−３］全閉状態のシャッターカーテンの下端部位
図７、図１５に示すように、下方押し込み要素８によって防水シート５の下方部位が、当該下方押し込み要素８の挿入部と共に座板２１の着床部２１１の下面と床面ＦＬとの間に挿入された状態において、下側領域５３の上側部分５３０の上半部位が座板２１の着床部２１１の屋外側上面に沿って延び、折り返された上側部分５３０の下半部位が、下方押し込み要素８の第２面８１と着床部２１１の下面との間に挟持され、下方押し込み要素８の挿入部の先端で上側部分５３０と中間部分５３１が折れて、下方押し込み要素８の第１面８０と床面ＦＬとの間に中間部分５３１が接触ないし密着し、下側部分５３２が、床面ＦＬに接触した状態で下方押し込み要素８の基端から屋外側に延びている。
【００７１】
［Ｂ−７］補強部材
図１８〜図２０を参照しつつ、補強部材９について説明する。補強部材９は、建物開口部全閉状態のシャッターカーテン２の屋内側に当該シャッターカーテン２の屋内側面部の下方部位に接近させて設置することで、浸水による屋外側からの水圧によるシャッターカーテン２の屋内側への変形に対抗する。補強部材９は、水平状の底面９０と、底面９０から垂直状に立ち上がる垂直面９１と、側面９２と、垂直面９１に設けた緩衝材９３と、からなる。緩衝材９３は、例えば、ＥＰＤＭゴム発泡体を主材とするものである。開口部全閉状態のシャッターカーテン２が屋外側から水圧を受けた時には、垂直面９１がシャッターカーテン２の屋内側面部に当たってシャッターカーテン２の屋内側への膨出変形を防止する。建物開口部の屋内側の床面ＦＬにおいて、補強部材９の設置位置には、予めアンカー（雌螺子Ｓ１）が埋め込まれている。補強部材９は、底面９０に形成された長孔９００をアンカーに合わせて雄螺子Ｓ２によってアンカーに固定することで、床面ＦＬ上に取り付けられる。補強部材９の設置は任意であって、開口幅寸法が小さい場合には補強部材９を設置しない場合もあり得る。また、開口幅寸法に応じて、１つあるいは複数の補強部材９を設置してもよい。図１８（Ａ）では、開口幅方向に間隔を存して平設した２つの補強部材９を示し、図１８（Ｂ）では、開口幅方向の中央に設けた１つの補強部材９を示している。防水シート５の設置において、補強部材９の設置工程は、防水シート５の設置前でも設置後でもよい。
【００７２】
［Ｃ］防水シートの設置工程
［Ｃ−０］事前工程
最初に、設置されているシャッター装置の開口幅寸法を測定する。具体的には、左右のガイドレール１間の内内寸法、すなわち開口幅寸法Ｗ（図１参照）を測定する。測定値に対応する長さとなるように防水シート６を裁断する。本実施形態では、防水シート６を、長さ「測定値＋４００ｍｍ」に裁断する。裁断の際には、寸法線を参照することができる。こうすることで、第１側方領域５１（幅寸法２００ｍｍ）＋正面領域５０（幅寸法Ｗ´）＋第２側方領域５２（幅寸法２００ｍｍ）の防水シート５が得られる。図１２に例示する防水シート５は、第１側方領域５１（幅寸法Ｗ１＝２００ｍｍ）＋中央領域５０（幅寸法Ｗ´＝７００ｍｍ＋１０ｍｍ×２）＋第２側方領域５２（幅寸法Ｗ２＝２００ｍｍ）である。図１６に例示する防水シート５は、第１側方領域５１（幅寸法Ｗ１＝２００ｍｍ）＋中央領域５０（幅寸法Ｗ´＝１０００ｍｍ＋１０ｍｍ×２）＋第２側方領域５２（幅寸法Ｗ２＝２００ｍｍ）である。上記２０ｍｍは、第１端部領域５００、第２端部領域５０１において、それぞれ第１側方押し込み要素７、第２側方押し込み要素７´と共にガイド溝Ｇ内に押し込まれる部分の幅寸法である。なお、切断位置は、厳格である必要はなく、図１４に示すような状態で左右のガイド溝内に押込まれて左右端部を閉塞できる程度の幅寸法を備えた第１側方領域５１、第２側方領域５２が得られればよい。本実施形態において、第１側方押し込み要素７は予め防水シート５に固定されているので第１側方領域の幅寸法Ｗ１は決定されているが、第２側方領域５２の幅寸法Ｗ２は、裁断後に結果として、例えば、１８０ｍｍであっても２２０ｍｍであってもよい。また、実際に第２側方押し込み要素７´を防水シート５に押し当てた時の、第２側方押し込み要素７´の側方（図では右側）に位置する領域（右側のガイド溝Ｇに押込まれる領域）の幅寸法は、実際の現場における第２側方押し込み要素７´のセット位置によって変動し得る。
【００７３】
防水シート５上の中央の正面領域５０の一方の端部には第１側方押し込み要素７が固定されている。防水シート５上には、第２側方押し込み要素７´のセットのための側方位置決め参照マーク７Ａが表示されているが、迅速に防水シート５を設置するためには、予め第２側方押し込み要素７´のセット位置（第１面７０をあてがう位置）をマーキングしておくことが望ましい。第２側方押し込み要素７´のセット位置のマーキングのやり方は限定されないが、例えば、実際に第１側方押し込み要素７を第１側方領域５１と共に第１ガイドレール１のガイドレール溝Ｇに押し込み、正面領域５０をシャッターカーテン２の屋外側面に沿って張った状態で防水シート５を押さえ、防水シート５を押さえた状態で、第２側方押し込み要素７´を第２側方領域５２と共に第２ガイドレールのガイドレール溝Ｇに押し入れ、正面領域５０が張った状態であることを確認して、第２側方押し込み要素７´の位置を防水シート５上に油性ペン等でマーキングする。このマーキング位置は目安であって、設置時に必ずしも第２側方押し込み要素７´のセット位置とマーキング位置を厳密に一致させる必要はない。なお、補強部材９が設置される現場においては、建物開口部の屋内側の床面ＦＬにおいて、補強部材９の設置位置を決定し、補強部材９の床面９０の長孔９００に合わせてアンカー（雌螺子Ｓ１）を打ち込んでおく。通常時には、アンカーは塞ぎ螺子で閉塞しておく。
【００７４】
［Ｃ−１］ステップ１：防水シートの第１側方部位の第１ガイドレールへの装着（図２２）
防水シート５を開口部閉鎖状態のシャッターカーテン２の屋外側面部に沿って広げる。防水シート５の長さ方向（横幅方向）の第１側に固定されている第１側方押し込み要素７の下端をシャッター下端（座板２１の立ち上がり部２１０の下端）に合わせ、第１側方領域５１を第１側方押し込み要素７の第２面７１側に折り返した状態で、第１側方押し込み要素７の挿入部と共にシャッターカーテン２（スラット２０）の幅方向の第１側（図では正面視左側）の屋外側面部２００とガイド溝Ｇの屋外側縁部１３０との隙間に押し込む。挿入時に、第１側方押し込み要素７の弾性押圧片７２を、第２面７１から離間する方向に湾曲変形させておく。
【００７５】
正面領域５０には、固定された第１側方押し込み要素７に隣接して、防水シート５の第１側方部位の第１ガイドレール１への装着に関する情報が表示されている。この情報には、押し込み順序を示す番号「１」、押し込み方向を示す矢印「←」、文字列「押込部材（縦）をシャッターとガイドレールの間に押込む」、「手」のマーク（手の指の向きが押し込み方向を示す）、第１説明図Ｅ１、が含まれている。防水シート５の第１側方部位の第１ガイドレール１への装着はこれらの情報を参照しながら行うことができる。また、防水シート５はある程度の伸縮性を備えているので、第１側方押し込み要素７を用いた第１側方部位のガイド溝Ｇへの押し込みの作業性が良好である。
【００７６】
図１４に示すように、防水シート５の第１側方部位が第１側方押し込み要素７の挿入部と共にガイドレール１のガイド溝Ｇに挿入された状態において、第１側方押し込み要素７の第１面７０とシャッターカーテン２の屋外側面部（スラット２０の屋外側面部２００）との間に防水シート５の第１端部領域５００が接触ないし密着し、第１側方領域５１の部分５１０が第１側方押し込み要素７の第２面７１に接触ないし密着し、第１側方押し込み要素７の第２面７１とガイド溝Ｇの屋外側縁部１３０との間に防水シート５の第１側方領域５１の部分５１０が挟持され、部分５１１は、ガイド溝Ｇの屋外側縁部１３０から屋外側前辺１３の外面に沿って延び、屋外側側辺１０の外面の前端部位と弾性押圧片７２との間に挟まれる。
【００７７】
［Ｃ−２］ステップ２：防水シートの第２側方部位の第２ガイドレールへの装着（図２３）
防水シート５の第２側（図では正面視右側）をシャッターカーテン２の屋外側面部に沿って水平に引き上げ、第２側方押し込み要素７´を防水シート５上のセット位置（マーキング位置あるいは所定の寸法線を目安とする）に合わせて第２面７１を防水シート５に押し当て、押し当てた第２側方押し込み要素７´の下端をシャッター下端（座板２１の立ち上がり部２１０の下端）に合わせ、第２側方領域５２を第２側方押し込み要素７´の第２面７１側に折り返した状態で、第２側方押し込み要素７´の挿入部と共にシャッターカーテン２（スラット２０）の幅方向の第２側（図では正面視右側）の屋外側面部２００とガイド溝Ｇの屋外側縁部１３０との隙間に押し込む。挿入時に、第２側方押し込み要素７´の弾性押圧片７２を、第２面７１から離間する方向に湾曲変形させておく。
【００７８】
正面領域５０には、第２側方押し込み要素７´の側方位置決め参照マーク７Ａ（あるは７Ｂ、７Ｃ）に隣接して、防水シート５の第２側方部位の第１ガイドレール１への装着に関する情報が表示されている。この情報には、押し込み順序を示す番号「２」、押し込み方向を示す矢印「→」、文字列「押込む」、「手」のマーク（手の指の向きが押し込み方向を示す）、が含まれている。防水シート５の第２側方部位の第２ガイドレール１への装着はこれらの情報（さらに、第１説明図Ｅ１を参照してもよい）を参照しながら行うことができる。また、防水シート５はある程度の伸縮性を備えているので、第２側方押し込み要素７´を用いた第２側方部位のガイド溝Ｇへの押し込みの作業性が良好であり、第２側方部位の押し込み時には、正面領域５０が横幅方向に引っ張られて緊張状態となる。
【００７９】
防水シート５の第１側方部位と同様に、防水シート５の第２側方部位が第２側方押し込み要素７´の挿入部と共にガイドレール１のガイド溝Ｇに挿入された状態において、第２側方押し込み要素７´の第１面７０とシャッターカーテン２の屋外側面部（スラット２０の屋外側面部２００）との間に防水シート５の第２端部領域５０１が接触ないし密着し、第２側方領域５２の部分５２０が第２側方押し込み要素７´の第２面７１に接触ないし密着し、第２側方押し込み要素７´の第２面７１とガイド溝Ｇの屋外側縁部１３０との間に防水シート５の第２側方領域５１の部分５２０が挟持され、部分５２１は、ガイド溝Ｇの屋外側縁部１３０から屋外側前辺１３の外面に沿って延び、屋外側側辺１０の外面の前端部位と弾性押圧片７２との間に挟まれる。
【００８０】
このように、本実施形態では、防水シート５の横幅方向の側方部位は、それぞれ左右のガイド溝Ｇ内に挿入されて、シャッター装置の構成要素であるガイドレール１のガイド溝Ｇとシャッターカーテン２との隙間を利用して保持されている。防水シート５の左右の側方部位の押し込み時には防水シート５が横幅方向に引っ張られるので、正面領域５０はシャッターカーテン２の屋外側面部に沿って張られた状態となり、正面領域５０の幅方向中央部位の垂れ下がりが可及的に防止され、別部材を用いてシート正面部位の上端を保持する必要がない。防水シート５の第１側方部位及び第２側方部位が左右のガイド溝Ｇ内に押し込まれ、正面領域５０がシャッターカーテン２の屋外側面部に沿って張られた状態において、防水シート５におけるシャッター下端を示す水平線ＨＬは、座板２１の立ち上がり部２１０の屋外側の下端部にほぼ位置しており、防水シート５の下方部位（裾部）は、立ち上がり部２１０の屋外側の下端部から座板２１の着床部２１１の屋外側上面、床面ＦＬに沿って屋外側へ延びている。
【００８１】
［Ｃ−３］ステップ３：防水シートの下方部位の床面への装着（図２４）
下方押し込み要素８を用いて、防水シート５の下方部位をシャッターカーテン２の座板２１（着床部２１１）の下面と床面ＦＬとの間に押し入れる。下方押し込み要素８の長さ寸法は、開口幅寸法に対して短尺であり、複数本の下方押し込み要素８を建物開口部の開口幅方向に亘って位置させて押し込むものである。複数の下方押し込み要素８は、押し込まれた状態において、隣位の下方押し込み要素８の端部同士が近接ないし当接している。１つの態様では、開口幅方向の最も端（左端あるいは右端）に位置して押し込まれる下方押し込み要素８を最初に押し込み、押し込んだ下方押し込み要素８を同じ側のガイドレール１に押し付ける。１つの態様では、例えば、図２４上図に示すように、７本の下方押し込み要素８を押し込む場合に、最左側の下方押し込み要素から右側に向かって順次押し込むが、最右側の下方押し込み要素を６番目に押し込んで、最後に最右側から２つめの下方押し込み要素を押し込んでもよい。あるいは、最右側の下方押し込み要素を２番目に押し込んでもよい。
【００８２】
より具体的に説明する。座板２１の立ち上がり部２１０の下端から床面ＦＬにかけて、防水シート５の下方領域５３が延びており、中間部分５３１上に表示された下方位置決め参照マーク８Ａ上に、１本目の下方押し込み要素８の第１面８０を一致させて、上側部分５３０を、座板２１の着床部２１１の下面と床面ＦＬとの間に押し込む。下方位置決め参照マーク８Ａの形状・寸法は、下方押し込み要素８の第１面８０と同一であり、下方押し込み要素８のセットを迅速に行うことができる。
【００８３】
下方領域５３の上側部分５３０（座板２１の着床部２１１の上面から床面ＦＬにかけて位置している）には、押し込み順序を示す番号「３」及び文字列「押込部材（下）を部材位置に置き、シャッター（座板）の下に押込む」が表示されており、下方位置決め参照マーク８Ａ上には、文字列「押込部材位置」、さらに、下側部分５３２から下方位置決め参照マーク８Ａに亘って２つの「手」のマークが表示されている。手の指の向きは、下から上に向かっており、押し込み方向を示しており、下方位置決め参照マーク８Ａの横幅方向中央には、２つの「手」のマーク間に位置して、矢印「↑」、文字列「押込む」、押込み順序を表す数字(1)が表示されている。さらに、正面領域５０には、下方位置決め参照マーク８Ａの上方に位置して第２説明図Ｅ２が表示されている。これらの情報を参照して、下方押し込み要素８を座板２１の着床部２１１の下面と床面ＦＬとの間に押し込むことができる。
【００８４】
次いで、下方位置決め参照マーク８Ａに合わせて押し入れた下方押し込み要素８のガイドレール１側の端部（図では左側端部）を、ガイドレール１に向かって押し付ける。下方位置決め参照マーク８Ａ上において、横幅方向左側には、矢印「←」、文字列「押込む」、押込み順序を表す数字(2)が表示されており、これらの情報を参照して、下方押し込み要素８をガイドレール方向に押し付けることができる。
【００８５】
次いで、中間部分５３１上に表示された下方位置決め参照マーク８Ｂ上に、２本目の下方押し込み要素８の第１面８０を一致させて、上側部分５３０を、座板２１の着床部２１１の下面と床面ＦＬとの間に押し込む。下方位置決め参照マーク８Ｂの形状・寸法は、下方押し込み要素８の第１面８０と同一であり、下方押し込み要素８のセットを迅速に行うことができる。
【００８６】
下方領域５３の上側部分５３０（座板２１の着床部２１１の上面から床面ＦＬにかけて位置している）には、押し込み順序を示す番号「３」及び文字列「押込部材（下）を部材位置に置き、シャッター（座板）の下に押込む」が表示されており、下方位置決め参照マーク８Ｂ上には、文字列「押込部材位置」、さらに、下側部分５３２から下方位置決め参照マーク８Ｂに亘って２つの「手」のマークが表示されている。手の指の向きは、下から上に向かっており、押し込み方向を示しており、下方位置決め参照マーク８Ｂの横幅方向中央には、２つの「手」のマーク間に位置して、矢印「↑」、文字列「押込む」が表示されおり、これらの情報を参照して、下方押し込み要素８を座板２１の着床部２１１の下面と床面ＦＬとの間に押し込むことができる。
【００８７】
次いで、下方位置決め参照マーク８Ｂに合わせて押し入れた下方押し込み要素８の端部（左側）を、既に押し込んだ１本目の下方押し込み要素８の端部（右側）に当接ないし近接するように押し付ける。下方位置決め参照マーク８Ｂ上において、横幅方向左側には、矢印「←」、文字列「合わせる」が表示されており、これらの情報を参照して、２本目の下方押し込み要素８を左側に押し付けることができる。
【００８８】
次いで、３本目の下方押し込み要素８を、既に押し込まれた２本目の下方押し込み要素８の右側に合わせて中間部分５３１上にあてがい、上側部分５３０を、座板２１の着床部２１１の下面と床面ＦＬとの間に押し込む。
【００８９】
中間部分５３１には、下方位置決め参照マーク８Ｂの右端の右側に位置して、文字列「繰返し」及び矢印「→」が表示されており、これらの情報を参照して、同様の作業で、隣り合う下方押し込み要素８を端部同士が隙間がないように押し込んでいく。このようにして、７本の下方押し込み要素８が残り２本となるまで、下方押し込み要素８を建物開口部の一側から他側に開口幅方向に沿って連続的に押し込むことで、防水シート５の下方部位を一端から他端に向かって順次押し入れる。６本目の下方押し込み要素８を、最右側に位置させて押し込み、右側のガイドレール１に押し当てる。最後に、７本目の下方押し込み要素８を、５番目に押し入れた下方押し込み要素８と最右側に位置させて押し込んだ下方押し込み要素８との間に押し込む。上述したように、左右端部いずれかに位置して押し込まれる一方の下方押し込み要素８を最初に押し込み、他方の押し込み要素８を押し込み順序は最後でなければいずれの順番でもよい。
【００９０】
一般に、建物開口部全閉姿勢において、シャッターカーテン下端の座板２１は床面ＦＬに強く押し付けられているわけではないので、座板２１の着床部２１１の下面と床面ＦＬとの間に、下方押し込み要素８の挿入部を防水シート５と共に挿入することが可能である。このことは、施錠装置（通常、高さ方向中間位置にある）が有効であっても同様である。なお、何らかの理由で隙間が生じない場合には、一度少し上方させ、例えばスペーサを差し込んでから下方押し込み要素８を押し込むようにしてもよい。
【００９１】
［Ｃ−４］ステップ４：側方押し込み要素の下方への押し込み（図２５）
第１側方押し込み要素７、第２側方押し込み要素７´を、下方に押し込んで、第１側方押し込み要素７の下端面７４０、第２側方押し込み要素７´の下端面（上下反転させて用いることで、第１側方押し込み要素７の上端面７３０）を、それぞれ床面ＦＬに突き当てる。
【００９２】
正面領域５０には、固定された第１側方押し込み要素７の下方部位に隣接して、「側方押し込み要素７の押し込み方向を示す矢印「↓」と、押し込み順序を示す番号「４」及び文字列「押込む」、「押込部材（縦）を床面まで押込みます」が表示されている。また、正面領域５０には、第２側方押し込み要素７´の側方位置決め参照マーク７Ａないし７Ｂ、７Ｃの下方部位に隣接して、側方押し込み要素７の押し込み方向を示す矢印「↓」と、押し込み順序を示す番号「４」及び文字列「押込む」、「押込部材（縦）を床面まで押込みます」が表示されている。
【００９３】
［Ｃ−５］防水構造の形成（図２１）
このように全閉状態のシャッター装置の屋外側に防水シート５を設置することで防水装置が形成される（図２１参照）。設置状態において防水シート５の正面領域５０は、全閉姿勢にあるシャッターカーテン２の床面ＦＬから所定の高さＨの正面部位を覆うと共に、横幅方向一方の側方部位の部分が一方のガイドレール１のガイド溝Ｇ内に押し込まれ、横幅方向他方の側方部位の部分が他方のガイドレールのガイド溝内に押し込まれ、下方部位の部分が座板２１下面と床面ＦＬとの間に押し込まれて、全閉状態の建物開口部の左右側部と下端の三方の隙間を閉鎖する。
【００９４】
全閉状態の建物開口部の一方の側部において、第１側方押し込み要素７の挿入部の回りに密着した防水シートの正面領域５０の第１端部領域５００（第１面７０に密着）、第１側方領域５１の部分５１０（第２面７１に密着）が、それぞれ、ガイド溝内に位置するシャッターカーテン２の屋外側面部、ガイド溝Ｇの屋外側縁部１３０に密接することで、防水構造が得られる。さらに、ガイド溝Ｇから屋外側に延びる部分５１１は、第１側方押し込み要素７の弾性押圧片７２によってガイドレール１の屋外側の外面に押し付けられる。
【００９５】
全閉状態の建物開口部の他方の側部において、第２側方押し込み要素７´の挿入部の回りに密着した防水シートの正面領域５０の第２端部領域５０１（第１面７０に密着）、第２側方領域５１の部分５２０（第２面７１に密着）が、それぞれ、ガイド溝内に位置するシャッターカーテン２の屋外側面部、ガイド溝Ｇの屋外側縁部１３０に密接することで、防水構造が得られる。さらに、ガイド溝Ｇから屋外側に延びる部分５２１は、第１側方押し込み要素７の弾性押圧片７２によってガイドレール１の屋外側の外面に押し付けられる。
【００９６】
全閉状態の建物開口部の下端において、下方押し込み要素８の挿入部の回りに密着した防水シートの下方領域５３の部分５３０（第２面８１に密着）、部分５３１（第１面８０に密着）が、それぞれ、座板２１の着床部２１１の屋外側部位（上面から下面にかけて）、床面ＦＬに密接することで、防水構造が得られる。さらに、部分５３２が下方押し込み要素８の基端側から床面ＦＬ上を屋外側に延びる。
【符号の説明】
【００９７】
１  ガイドレール
２  シャッターカーテン
２０  スラット
２１  座板
２１１  着床部
５  防水シート
５０  正面領域
５１  第１側方領域
５２  第２側方領域
５３  下方領域
７  側方押し込み要素
７Ａ〜７Ｃ  第２側方押し込み要素の位置決め参照マーク
８Ａ〜８Ｆ  
８  下方押し込み要素
８Ａ〜８Ｆ  下方押し込み要素の位置決め参照マーク
Ｇ  ガイド溝
【図１】
0006489884.tif 000002
【図２】
0006489884.tif 000003
【図３】
0006489884.tif 000004
【図４】
0006489884.tif 000005
【図５】
0006489884.tif 000006
【図６】
0006489884.tif 000007
【図７】
0006489884.tif 000008
【図８】
0006489884.tif 000009
【図９】
0006489884.tif 000010
【図１０】
0006489884.tif 000011
【図１１】
0006489884.tif 000012
【図１２】
0006489884.tif 000013
【図１３】
0006489884.tif 000014
【図１４】
0006489884.tif 000015
【図１５】
0006489884.tif 000016
【図１６】
0006489884.tif 000017
【図１７】
0006489884.tif 000018
【図１８】
0006489884.tif 000019
【図１９】
0006489884.tif 000020
【図２０】
0006489884.tif 000021
【図２１】
0006489884.tif 000022
【図２２】
0006489884.tif 000023
【図２３】
0006489884.tif 000024
【図２４】
0006489884.tif 000025
【図２５】
0006489884.tif 000026